(57)【要約】【課題】  ＴＥバンド等の格別の部材を設けることなく、ＴＥ性が向上したプルリング付容器蓋を提供する。【解決手段】  容器口部に嵌合固定され且つ内容物注出開口を形成するためのプルリングを備えたキャップ本体と、該キャップ本体に着脱自在に装着される上蓋とからなるプルリング付容器蓋において、少なくとも該上蓋の天面には、キャップ本体のプルリングを観察するための透明領域が形成されていることを特徴とする。【選択図】  図１。
2005132382.tif 000002
【特許請求の範囲】
【請求項１】
容器口部に嵌合固定され且つ内容物注出開口を形成するためのプルリングを備えたキャップ本体と、該キャップ本体に着脱自在に装着される上蓋とからなるプルリング付複合容器蓋において、少なくとも該上蓋の天面には、キャップ本体のプルリングを観察するための透明領域が形成されていることを特徴とするプルリング付容器蓋。
【請求項２】
前記上蓋の天面全体又は天面の一部が透明領域となっており、該上蓋の他の部分が半透明乃至不透明となっている請求項１に記載のプルリング付容器蓋。
【請求項３】
前記透明領域は、上蓋の天面に環状に形成され、該上蓋を閉じたとき、該環状の透明領域に整合するように前記プルリングが位置している請求項２に記載のプルリング付容器蓋。
【請求項４】
少なくとも前記上蓋が透明な材料で形成されており、少なくとも前記上蓋の半透明乃至不透明領域が粗面に形成されていることを特徴とする請求項２又は３に記載のプルリング付容器蓋。
【請求項５】
前記上蓋が無色であり、前記キャップ本体が有色である請求項１乃至４の何れかに記載のプルリング付容器蓋。
【発明の詳細な説明】
【技術分野】
【０００１】
本発明は、プルリング付容器蓋に関するものであり、より詳細には、上蓋が閉じられている状態でプルリングの状態を観察することができるプルリング付容器蓋に関する。
【背景技術】
【０００２】
内容物注出開口を形成するためのプルリングを備え且つ容器口部に嵌合固定されるキャップ本体と、該キャップ本体にネジ係合或いはヒンジ連結によって着脱自在に装着される上蓋とからなるプルリング付容器蓋は、各種の調味料等の容器などに広く適用されている。このようなプルリング付容器蓋には、通常、タンパーエビデントバンド（ＴＥバンド）などの開封履歴明示機構を設けることにより、未だ開封されていないものであることを証明し、内容物の品質保証機能やいたずら防止機能を持たせる提案がされている（例えば特許文献１、２参照）。
【特許文献１】実公平２−２１４０６号公報
【特許文献１】特開平１１−２５５２５１号公報
【発明の開示】
【発明が解決しようとする課題】
【０００３】
しかしながら、ＴＥバンド等の開封履歴明示機構を設けることは、容器蓋の構造が複雑となり、コスト等の増大をもたらす。また、ＴＥバンドは、上蓋に設けられ、上蓋を開封したときには必ず上蓋から切り離されるというものであり、ＴＥバンドが切り離されているという事実により、上蓋が開封されたという事実を一般の消費者に認識させるというものである。しかるに、切り離されたＴＥバンドごと上蓋をキャップ本体に装着した場合には、一般の需要者はＴＥバンドが切り離されているという事実を見落としてしまうこともあり、その開封履歴明示機能（ＴＥ性）は、必ずしも満足しえるものではなかった。
【０００４】
従って、本発明の目的は、ＴＥバンド等の格別の部材を設けることなく、ＴＥ性が向上したプルリング付容器蓋を提供することにある。
【課題を解決するための手段】
【０００５】
本発明によれば、容器口部に嵌合固定され且つ内容物注出開口を形成するためのプルリングを備えたキャップ本体と、該キャップ本体に着脱自在に装着される上蓋とからなるプルリング付容器蓋において、少なくとも該上蓋の天面には、キャップ本体のプルリングを観察するための透明領域が形成されていることを特徴とするプルリング付容器蓋が提供される。
【発明の効果】
【０００６】
本発明のプルリング付容器蓋においては、少なくとも上蓋の天面に透明領域が形成されており、一般の消費者は、肉眼で、この透明領域を通してキャップ本体のプルリングを観察することができる。従って、上蓋が閉じられたままの状態で、キャップ本体にプルリングが取り付けられているか或いはプルリングが取り外されているかを認識することができ、ＴＥバンドの如き格別の部材を設けることなしに、開封履歴を明示することができる。
【０００７】
本発明においては、前記上蓋の天面全体又は天面の一部を透明領域とし、該上蓋の他の部分を半透明乃至不透明とすることができる。即ち、上蓋の全体を透明とすることもできるが、上蓋全体を通してキャップ本体の全体が見えると、むしろプルリングが目立たなくなる。しかるに、上蓋の天面のみを透明とすることにより（即ち、天面全体又は天面の一部が上記の透明領域となる）、上蓋を通してプルリングを注視できるようになり、プルリングが取り外されていることを見落とすなどの不都合を有効に回避することができるからである。
【０００８】
また、使用後に内溶液が注出筒外に付着するような場合には、キャップ本体の上面ができるだけ目立たない方が好ましいため、上蓋全体が透明の場合よりも必要な箇所のみが一部透明な方が好ましいのである。
【０００９】
また、前記透明領域を、上蓋の天面に環状に形成し、該上蓋を閉じたとき、該環状の透明領域に整合するように前記プルリングを配置することもできる。即ち、プルリングの輪が環状の透明領域と合致するように構成することにより、プルリングのわずかな状態変化も容易に認識することができ、ＴＥ性を一層高めることができる。
【００１０】
また、少なくとも前記上蓋が透明な材料で形成されており、少なくとも前記上蓋の半透明乃至不透明領域が粗面に形成されていることもできる。即ち、透明な材料で形成された容器蓋に、半透明乃至不透明領域を粗面加工することにより成形すると、生産製及び生産コストの点で好ましい。
【００１１】
さらに、本発明においては、前記上蓋が無色であり、前記キャップ本体を有色とすることが好適である。このようにすることにより、透明領域を介して、最も鮮明にキャップ本体（特にプルリング）が見えるからである。
【発明を実施するための最良の形態】
【００１２】
本発明を、以下、添付図面に示す具体例に基づいて説明する。
図１は、本発明のプルリング付容器蓋の上面図（ａ）、側断面図（ｂ）及び底面図（ｃ）であり、
図２は、本発明のプルリング付容器蓋の他の実施形態における機能を説明するための説明図である。
【００１３】
図１（ａ）〜（ｃ）を参照して、本発明のプルリング付容器蓋は、キャップ本体１と上蓋２とから構成されている。
【００１４】
キャップ本体１は、頂壁５と、容器の口部（図示せず）と係合する係合突起７が設けられた筒状側壁６とからなっており、筒状側壁６が内側壁１８と外側壁１９からなる二重壁構造となり、下端部で連結されている。係合突起７は内側壁の下部内面に形成されている。内側壁の上端から内方に向けて突出する上部壁２４が形成され上部壁２４の内側には下方に延びるインナーリング９と上方に延びる螺状筒１６が設けられている。螺状筒の外面部分には、上蓋２を保持するための螺条１７が形成されている。螺状筒の上端は連結部を介して注出筒１５が設けられ、注出筒１５の下端部に前記頂壁５が形成されている。即ち、このインナーリング９と筒状側壁６との間の空間に容器口部が嵌め込まれ、嵌め込まれた容器口部は、上記の係合突起７によってがっちりと固定される。
【００１５】
頂壁５には、スコア１０が無端状に設けられており、このスコア１０を引き裂くことにより、頂壁５に内容物注出用の開口が形成されるようになっている。従って、このスコア１０の近傍には支柱１１が設けられ、支柱１１の上端にプルリング１３が設けられる。即ち、プルリング１３を指で摘んで引っ張り上げることにより、支柱１１を介してスコア１０が引き裂かれ、内容物注出用の開口が形成されるわけである。
【００１６】
また、上記スコア１０を取り囲むようにして前記注出筒１５が設けられ、この注出筒１５内にプルリング１３が収容されている。即ち、プルリング１３を引っ張り、注出用開口を形成した後は、この注出用開口を通し、注出筒１５の内面に沿って、容器内容物をスムーズに注ぎだすことができる。この注出筒１５の上端１５ａは、液垂れ等を防止するためにラッパ状に拡がっている。
【００１７】
筒状側壁６は、上方からの切り込みによってスリットを周状に形成することにより、前記二重壁構造を構成している。このような構成により、筒状側壁６の外側壁１９を引き裂き可能とすることにより、容器口部からのキャップ本体１の取り外しを容易に行うことができ、分別廃棄性が高められる。
【００１８】
一方、上蓋２は、天面２０と、スカート部２１とからなっている。
【００１９】
天面２０の内面には、リング状の小突起２２が設けられており、上蓋２をキャップ本体１に装着したときに、この小突起２２が注出筒１５の内面に密着するようになっている。これにより、スコア１０の引き裂きにより内容物注出用開口を形成した後のシール性が確保されるようになっている。
【００２０】
また、スカート部２１の内面には、前述したキャップ本体１に設けられている螺条１７と螺子係合する螺条２３が形成されている。即ち、これらの螺条１７、２３を螺子係合することにより、上蓋２をキャップ本体１に装着することができる。
【００２１】
スカート部２１の下端には、必要により、外方フランジ２５が設けられる。この外方フランジ２５は、キャップ本体１の筒状側壁６の上端部外径と同じ外径を有しており、上蓋２を閉じたとき、筒状側壁６の上端部（内側壁１８と外側壁１９の上端）を丁度覆うようになっている。従って、例えば筒状側壁６を、上端からの切込み（スリット）により二重壁構造とする場合には、上蓋２によって、このような切込み（スリット）を隠すことができ、この複合容器蓋の商品価値を高めることができる。
【００２２】
本発明においては、上蓋２の少なくとも天面２０に、プルリング観察用の透明領域を形成する。即ち、このような透明領域を形成することにより、上蓋を閉じたままの状態でプルリング１３を目視で観察することができ、例えばプルリング１３が取り除かれて内容物注出用開口が形成されてしまっていれば、その事実を一目で認識することができるのである。
【００２３】
尚、この透明領域は、外部からプルリング１３を見ることができる程度の透明性を有していればよく、必ずしも完全に透明であることは必要なく、また、着色されていてもよい。
【００２４】
本発明において、上記のような透明領域は、上蓋２の全体を透明とすることにより結果として天面２０に形成することができるが、天面２０のみを透明とし、上蓋２のスカート部２１を不透明もしくは半透明とすることが好ましい。即ち、上蓋２の全体を透明として内部のキャップ本体１の全体が明瞭に見えるようにすると、むしろ、注出筒１５の内部に位置しているプルリング１３が目立たなくなってしまい、見落としなどを生じ易くなってしまう。従って、天面２０のみを透明とすることにより、明瞭に見える範囲をプルリング１３及びその周辺部分に限定することにより、見落としなどを防止することができるからである。或いは、使用後に内溶液が注出筒外に付着するような場合には、キャップ本体の上面ができるだけ目立たない方が好ましいからである。
【００２５】
また、使用後に内溶液が注出筒外に付着するような場合には、キャップ本体の上面ができるだけ目立たない方が好ましいため、明瞭に見える範囲をプルリング１３及びその周辺部分に限定するという目的で、天面２０に円形の透明領域３０を形成し、他の部分を半透明乃至不透明領域３１とすることが好ましい
【００２６】
さらに、明瞭に見える範囲をプルリング１３に限定することもできる。例えば、図２（ａ）に示すように、天面２０に環状の透明領域３２を形成し、他の部分を半透明乃至不透明領域３３とすることができる。即ち、キャップ本体１に設けられているプルリング１３の輪は、環状の透明領域３２に合致するように配置される。このような場合においては、一旦上蓋２が取り外され、プルリング１３を引っ張ってスコア１０が僅かに引き裂かれていた場合においても、その事実を明確に認識することができる。即ち、図２（ｂ）に示すように、プルリング１３の輪の位置が少しずれた場合でも、容易に認識することができるのである。
【００２７】
また、本発明においては、プルリング１３を明瞭に認識するために、上蓋２を無色とし、キャップ本体１を有色とすることが最も好適である。
【００２８】
尚、上述した具体例においては、上蓋２は螺子係合によりキャップ本体１に装着されるが、勿論、本発明は、上蓋２がキャップ本体１にヒンジ連結されたタイプの容器蓋にも適用できることは言うまでもない。
【００２９】
また、上述したキャップ本体１や上蓋２は、それ自体公知の熱可塑性樹脂を用いての射出成形や圧縮成形により製造されるが、容器蓋の成形を透明な材料により行い、透明領域を形成する場合には、金型面を鏡面とし、半透明領域を形成する場合には、金型面を粗面とすればよく、樹脂の種類や組成（例えば顔料等の着色剤）との組み合わせに応じて、上蓋の所定部分に透明領域を形成することができるが、勿論、容器蓋全体を透明にしたり、或いは二色成形等により透明な材料と不透明な材料により、透明領域と不透明領域を形成することもできる。
【００３０】
上述した本発明によれば、ＴＥバンド等の格別の部材を用いることなく、簡単な構成で開封履歴明示機能を持たせることができ、コストや生産性の点でも極めて有利である。
【図面の簡単な説明】
【００３１】
【図１】本発明のプルリング付容器蓋の上面図（ａ）、側断面図（ｂ）及び底面図（ｃ）である。
【図２】本発明のプルリング付容器蓋の他の実施形態における機能を説明するための説明図である。
【符号の説明】
【００３２】
１：キャップ本体
２：上蓋
１３：プルリング
２０：上蓋天面
３０，３２：透明領域
３１，３３：半透明乃至不透明領域
【図１】
2005132382.tif 000003
【図２】
2005132382.tif 000004